【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
水を処理するためのシステムであって、前記システムは、
第１の酸化サブシステムと、
粒子状物質濾過サブシステムと、
膜濾過サブシステムと、
第２の酸化サブシステムと、
前記システム中の水の状態を感知する複数のセンサと、
前記複数のセンサと連絡しているコントローラと
を含み、
前記複数のサブシステムは、前記第１の酸化サブシステム、前記粒子状物質濾過サブシステム、前記膜濾過サブシステム、前記第２の酸化サブシステムの順番で互いに流体連絡しており、
前記コントローラは、前記感知された状態に応答して、
前記順番においてどのサブシステムを迂回するかを決定することと、
前記順番で前記複数のサブシステムのうちの１つからその前のサブシステムへ水を再循環させることにより、再循環ループが構成されるか否かを決定することとを行うように構成されており、
前記コントローラは、前記決定することに従って、制御信号を出力するようにさらに構成されている、システム。
【請求項２】
前記複数のサブシステムを収納し、かつ、前記システムを運送することに適している剛性筐体をさらに含む、請求項１に記載のシステム。
【請求項３】
前記複数の酸化サブシステムと流体連絡しているオゾン源をさらに含む、請求項１に記載のシステム。
【請求項４】
前記複数の酸化サブシステムのうちの１つの下流場所と流体連絡している逆洗導管をさらに含む、請求項３に記載のシステム。
【請求項５】
前記第２の酸化サブシステムは、水をオゾンと紫外線光との両方に暴露するための手段をさらに含む、請求項１に記載のシステム。
【請求項６】
前記順番において、前記第１の酸化サブシステムの前にスクリーン濾過サブシステムをさらに含む、請求項１に記載のシステム。
【請求項７】
前記順番において、スクリーンフィルタの前に油／水分離サブシステムをさらに含む、請求項６に記載のシステム。
【請求項８】
前記順番において、前記油／水分離サブシステムの前にポンプをさらに含む、請求項７に記載のシステム。
【請求項９】
前記順番において、前記膜濾過サブシステムの前に活性炭濾過サブシステムをさらに含む、請求項１に記載のシステム。
【請求項１０】
前記膜濾過サブシステムのブースターポンプをさらに含む、請求項１に記載のシステム。
【請求項１１】
水処理システムのための制御システムであって、前記制御システムは、
コントローラを含み、前記コントローラは、
水処理システム中の感知された水の状態に対応する信号を受信することであって、前記水処理システムは、第１の酸化サブシステムと、粒子状物質濾過サブシステムと、膜濾過サブシステムと、第２の酸化サブシステムとを含み、前記複数のサブシステムは、前記第１の酸化サブシステム、前記粒子状物質濾過サブシステム、前記膜濾過サブシステム、前記第２の酸化サブシステムの順番で互いに流体連絡している、ことと、
前記感知された状態に応答して、前記順番においてどのサブシステムを迂回するかを決定することと、前記順番で前記複数のサブシステムのうちの１つからその前のサブシステムへ水を再循環させることにより、再循環ループが構成されるか否かを決定することとを行うことと、
前記決定することに従って、制御信号を出力することと
を行うように構成されている、制御システム。
【請求項１２】
前記コントローラは、前記感知された信号に応答して、前記順番で前記複数のサブシステムを前記再循環ループに加えることによって、前記再循環ループを最初に構成するようにさらに構成されている、請求項１１に記載の制御システム。
【請求項１３】
前記水処理システムは、源水サブシステムをさらに含み、前記膜濾過サブシステムは、逆浸透サブシステムであり、前記コントローラは、前記逆浸透サブシステムから前記源水サブシステムへ水を再循環させるように決定する、請求項１１に記載の制御システム。
【請求項１４】
前記水処理システムは、前記複数の酸化サブシステムと連絡しているオゾン源をさらに含み、前記コントローラは、前記感知された信号に応答して、前記複数の酸化サブシステムのうちの１つの下流場所から、前記複数のサブシステムのうちの少なくとも１つを通して水を逆洗するか否かを決定するようにさらに構成されている、請求項１１に記載の制御システム。
【請求項１５】
前記コントローラは、前記感知された信号に応答して、前記第２の酸化サブシステムにおいて前記水をオゾンと紫外線光との両方に暴露するか否かを決定するように構成されている、請求項１１に記載の制御システム。
【手続補正２】
【補正対象書類名】明細書
【補正対象項目名】００１１
【補正方法】変更
【補正の内容】
【００１１】
飲料水を生産するように原水を処理する方法であって、原水源から、複数の水処理過程を提供するための複数の処理サブシステムを有する水処理システムの導管サブシステムの入口の中へ、水を受け取るステップであって、導管サブシステムはまた、それを通って水が入口から出口へ流れることが可能である、飲料水用の出口も有する、ステップと、複数のセンサを用いて、水処理システムの中の複数の場所における水の複数の特性を感知するステップであって、水の一式の特性は、水の流速、水圧、水位、および水質パラメータを含む、ステップと、そのようなセンサによって測定される水の特性を表す信号を、複数のセンサのそれぞれから出力するステップとを含む。方法はさらに、水処理システムの動作を制御するコントローラにおいて、複数の場所に位置する複数のセンサから、出力信号を受信するステップを含み、コントローラは、複数のセンサから受信される水の測定された特性を監視し、水源からの水の水圧が低すぎて水処理システムを操作できない場合、原水源から導管サブシステムを通して水を送出し、測定された水の特性に基づいて、水処理システムを操作する複数のモードのうちの１つを選択し、水処理システムの全体を通した複数の場所における水質を決定するために、複数のセンサから受信される測定された特性の出力信号を使用し、選択された動作モードおよび複数のセンサからの測定された特性の出力信号に基づいて、導管サブシステムを通る水流を自動的に制御し、選択された動作モードおよび複数のセンサ場所における水質パラメータ測定値に基づいて、出力時に飲料水を生産するために複数の処理ステップのうちのどれが必要とされるかを自動的に決定し、飲料水を生産するために必要とされない処理過程のための水処理サブシステムを迂回するように、導管サブシステムを通る水流を自動的に方向付ける。コントローラによって選択可能な複数の水処理過程は、水処理システムを潜在的に妨害し得るサイズの粒子状物質を水から裏漉しするステップと、裏漉しされた水の中の汚染物質の酸化のために、一次酸化処理サブシステムにオゾンを注入することによって、一次酸化処理サブシステムにおいて裏漉しされた水を一次処理するステップと、少なくとも１つの濾過処理サブシステムを使用して、水からより小さい粒子状物質を濾過するステップであって、少なくとも１つの濾過処理サブシステムは、混合媒体濾過要素、精密濾過膜要素、限外濾過膜要素、および活性炭フィルタ要素から成る群より選択される、ステップと、逆浸透処理サブシステムを使用して、水から溶解固形物を除去するステップと、最終酸化処理サブシステムにおいて、オゾンを水に注入することによって水をさらに消毒するステップと、ヒドロキシルラジカルを作成して、あらゆる残留汚染物質を酸化するように（およびあらゆる残留注入オゾンの実質的に全てを破壊するように）、最終酸化処理サブシステムにおいて、紫外線光を水に付与するステップとを含む。
本願明細書は、例えば、以下の項目も提供する。
（項目１）
飲料水を生産するように原水を処理するための自動水処理システムであって、
原水源から水を受け取るための入口と飲料水用の出口とを有する導管サブシステムであって、前記水が前記導管サブシステムを通って前記入口から出口へ流れることが可能である、導管サブシステムと、
前記導管システムに接続された複数のポンプであって、前記複数のポンプは、前記導管システムを通して水流を駆動することが可能である、複数のポンプと、
前記導管システムに接続された複数の水処理サブシステムと、
前記水処理システムを潜在的に妨害し得るサイズの粒子状物質を除去するためのストレーナサブシステムと、
裏漉しされた水の一次処理のために、前記ストレーナサブシステムの下流にある一次酸化サブシステムと、
前記一次酸化サブシステムに連結されたオゾン注入器であって、前記裏漉しされた水の中の汚染物質の酸化のために、前記一次酸化サブシステムにオゾンを注入するオゾン注入器と、
前記水からより小さい粒子状物質を除去するための少なくとも１つの濾過サブシステムであって、前記少なくとも１つの濾過サブシステムは、混合媒体濾過要素、精密濾過膜要素、限外濾過膜要素、および活性炭フィルタ要素から成る群より選択される、少なくとも１つの濾過サブシステムと、
前記水から少なくとも溶解汚染物質を除去するための逆浸透サブシステムと、
最終酸化サブシステムであって、前記最終酸化サブシステムは、前記最終酸化サブシステムの上流にあるサブシステムから受け取られる前記水をさらに酸化し、消毒し、消毒および高度酸化をさらに強化するように、前記最終酸化サブシステムに、オゾンが注入され、次いで、紫外線放射が付与されることが可能である、最終酸化サブシステムと、
複数のセンサであって、前記複数のセンサのそれぞれは、前記複数のセンサのそれぞれの位置における前記水の一式の特性のうちの少なくとも１つを測定することが可能であるように、前記水処理システムの中に位置付けられ、前記水の前記一式の特性は、流速、水圧、水位、および水質パラメータを含み、各センサは、測定された特性を表す信号を出力する、複数のセンサと、
前記処理システムの中の複数の場所における前記複数のセンサから出力信号を受信するためのコントローラと
を備え、
前記コントローラは、
複数のモードでの前記処理システムの動作を制御することと、
前記複数の動作モードのうちの１つを選択することと、
前記複数のセンサから受信される前記水の前記測定された特性を監視することと、
前記処理システムの全体を通した複数の場所での水質を決定するために、前記複数のセンサから受信される前記測定された特性を使用することと、
選択された動作モードおよび前記複数のセンサからの前記測定された特性の前記出力信号に基づいて、前記導管サブシステムを通る水流を自動的に制御することと、
前記選択された動作モードおよび複数のセンサ場所における水質パラメータ測定値に基づいて、出力時に飲料水を生産するために前記複数のサブシステムのうちのどれが必要とされるかを自動的に決定することと、
飲料水を生産するために必要とされない前記水処理サブシステムおよび要素を迂回するように、前記導管サブシステムを通る水流を自動的に方向付けることと
が可能である、水処理システム。
（項目２）
前記コントローラが操作され得る前記モードは、過渡動作モードおよび通常処理動作モードを含む、項目１に記載の水処理システム。
（項目３）
前記水質パラメータは、全石油炭化水素（ＴＰＨ）、濁度、粒径、粒子数、溶解オゾン（ＤＯ３）、全有機体炭素（ＴＯＣ）、伝導度、全溶解固形物（ＴＤＳ）、酸化還元電位（ＯＲＰ）、特定紫外線吸収、分光、およびｐＨから成る群より選択され、
前記複数のポンプは、前記原水源から前記入口を通して前記処理システムの中へ水を輸送するために使用されることが可能である第１のポンプを含み、
前記ストレーナサブシステムは、前記一次酸化サブシステムを潜在的に妨害し得るサイズの粒子状物質を除去するための粒子状物質ストレーナを含む、
項目２に記載の水処理システム。
（項目４）
前記コントローラは、前記処理システムの起動中に前記過渡動作モードを自動的に選択する、項目３に記載の水処理システム。
（項目５）
前記コントローラは、
第１のポンプを起動し、定常状態条件が達成されるまで、前記水が前記粒子状物質ストレーナを通過するように、前記導管システムを通して水流を方向付けることと、
前記所定測定水質パラメータに基づいて、前記一次酸化サブシステムの上流にある前記システムの前記処理サブシステムのうちのいずれかを迂回できるかどうかを決定することと、
前記一次酸化サブシステムから退出する前記水の中のオゾンの所定の測定値が達成されるまで、前記一次酸化システムを通して前記水を再循環させるように前記導管サブシステムを指図することとが可能である、項目４に記載の水処理システム。
（項目６）
前記複数のポンプは、前記一次酸化サブシステムの下流にある前記導管サブシステムに接続された第２のポンプを含み、前記第２のポンプは、前記一次酸化サブシステムからの部分的に処理された水を、前記システムの残りの部分まで下流へ供給し、
前記コントローラは、
前記少なくとも１つの濾過サブシステムから退出する前記水の中の濁度、粒子数、および粒径から成る群より選択される少なくとも１つの所定の測定水質パラメータが達成されるまで、前記一次酸化システムおよび前記少なくとも１つの濾過サブシステムを通して前記水を再循環させることと、
前記濾過サブシステムから退出する前記水において、伝導度、特定紫外線吸収、ＴＯＣ、ＴＤＳ、およびＴＰＨから成る群からの少なくとも１つの測定パラメータの所定のレベルが測定された場合に、前記一次酸化システム、前記少なくとも１つの濾過サブシステム、および前記逆浸透サブシステムを通して前記水を再循環させること、および、前記逆浸透サブシステムが定常状態条件に達するまで、前記逆浸透サブシステムを通して前記水を再循環させ続けることと、
前記最終酸化サブシステムが定常状態条件に達し、飲料水を生産するまで、前記一次酸化システム、前記少なくとも１つの濾過サブシステム、前記逆浸透サブシステム、および前記最終酸化サブシステムを通して前記水を再循環させことと
を前記導管サブシステムに指図することが可能である、
項目５に記載の水処理システム。
（項目７）
前記コントローラは、前記最終酸化サブシステムから退出する処理水が定常状態条件に達し、飲料水を生産することを前記コントローラが決定した場合に、前記通常動作モードを選択することが可能である、項目４に記載の処理システム。
（項目８）
前記少なくとも１つの濾過サブシステムは、
前記水から約０．５ミクロンよりも大きいサイズを有する粒子状物質を除去するための並列の複数の混合媒体フィルタと、
前記複数の混合媒体フィルタの下流にある並列の複数の膜フィルタであって、前記複数の混合媒体フィルタから水を受け取り、前記水から約０．１ミクロンよりも大きいサイズを有する粒子状物質を除去するための複数の膜フィルタと、
前記複数の膜フィルタの下流にある並列の複数の活性炭フィルタと
を備え、前記複数の活性炭フィルタは、前記複数の膜フィルタから水を受け取り、有機化合物および他の溶解化学汚染物質を除去し、微生物が前記炭素フィルタの上流面に生息することにより、木炭の表面上での生物学的濾過を可能にし、
前記逆浸透サブシステムは、前記活性炭フィルタの下流にある複数の逆浸透フィルタを備え、前記逆浸透フィルタは、前記活性炭フィルタから水を受け取り、わずかに半塩水から海水の濃度に及ぶ濃度の溶解汚染物質を除去し、
前記コントローラは、
前記一次酸化サブシステム、前記複数のフィルタのそれぞれ、前記逆浸透サブシステム、および前記最終酸化サブシステムの動作を独立して制御することと、
複数のセンサ場所における前記水質パラメータ測定値に基づいて、出力時に飲料水を生産するために前記濾過サブシステムの前記複数のフィルタのうちのどれが必要とされるかを自動的に決定することと、
飲料水を生産するために必要とされない前記濾過サブシステムの前記複数のフィルタのそれぞれを迂回するように、前記導管サブシステムを通して水流を方向付けることと、
複数のセンサ場所における前記水質パラメータ測定値に基づいて、出力時に飲料水を生産するために前記逆浸透フィルタのうちのどれが必要とされるかを自動的に決定することと、
飲料水を生産するために必要とされない前記逆浸透フィルタのそれぞれを迂回するように、前記導管サブシステムを通して水流を方向付けることと
が可能である、項目７に記載の水処理システム。
（項目９）
前記複数のポンプは、サービスポンプをさらに備え、
前記システムが操作され得る前記モードは、逆洗動作モードをさらに含む、項目８に記載の水処理システム。
（項目１０）
前記水処理システムは、標準サイズの商用運送用コンテナをさらに備え、前記コンテナは、複数の端壁および端部間の複数の側壁と、前記端部のうちの１つにおける少なくとも１つのドアとを有し、前記コンテナは、前記少なくとも１つのドアの反対側の端部と前記端部間の側面とに、補足隔壁および複数のドアを追加することによって修正され、前記水処理システムの他の要素は、修正された前記コンテナの内側に納まるように構成され、前記複数のドアを通してアクセスされることが可能である、項目９に記載の水処理システム。
（項目１１）
前記ストレーナサブシステムは、
前記原水源と前記第１のポンプとの間に位置する破片ストレーナであって、前記第１のポンプの動作に干渉し得る破片およびより大きい粒子状物質を前記水から除去するための破片ストレーナと、
前記第１のポンプの下流にある粒子状物質ストレーナと
を備え、  前記粒子状物質ストレーナは、前記一次酸化サブシステムを潜在的に妨害し得るサイズの粒子状物質を除去する、項目１に記載の水処理システム。
（項目１２）
前記導管サブシステムに接続された油・水分離器をさらに備え、前記油・水分離器は、前記破片ストレーナの下流かつ前記粒子状物質ストレーナの上流にあり、非溶解または乳化された油および燃料汚染物質を除去する、項目１１に記載の水処理システム。
（項目１３）
前記一次酸化サブシステムは、溶解空気浮遊要素をさらに備え、
前記溶解空気浮遊要素に連結された前記オゾン注入器は、空気およびオゾンの組み合わせを前記一次酸化サブシステムに注入し、前記水からの有機汚染物質および油の分離と、前記有機汚染物質および油から分離された結果として生じる水の消毒および酸化とを強化する、項目１に記載の水処理システム。
（項目１４）
前記複数のポンプは、前記コントローラが前記導管サブシステムの中の水圧および流速を管理することを可能にするように、前記導管サブシステムを通して水を送出するための可変周波数ポンプを備え、前記可変周波数ポンプの使用は、流速および圧力の変化を加減するために従来は必要とされた、前記水処理システムの中の中間貯蔵タンクの排除を可能にする、項目１に記載の水処理システム。
（項目１５）
前記複数のポンプは、前記逆浸透サブシステムの上流にあるブースターポンプをさらに含み、
前記システムは、前記ブースターポンプの上流にある少なくとも１つの加圧毛細管をさらに備え、前記加圧毛細管は、上流の処理サブシステムから、前記逆浸透サブシステムの中の水の流速および圧力を分断することが可能であり、
前記濾過サブシステムの下流にある前記導管サブシステムの中の水流の圧力が、前記逆浸透サブシステムの動作のために不十分であることを前記複数のセンサが検出した場合に、前記コントローラは、逆浸透動作のために十分な前記逆浸透サブシステムの中への水流の圧力を達成するよう動作するように、前記ブースターポンプに自動的に指図することが可能である、
項目１４に記載の水処理システム。
（項目１６）
標準サイズの商用運送用コンテナをさらに備え、前記コンテナは、複数の端壁および複数の側壁と、そのうちの１つの端部における少なくとも１つのドアとを有し、前記コンテナの前記壁は、補足隔壁で増強され、複数のさらなるドアが、前記複数の側壁および前記既存のドアの反対側の前記端壁に追加され、前記水処理システムの他の要素は、修正された前記標準サイズの商用運送用コンテナの内側に納まるように構成され、前記複数のドアを通してアクセスされることが可能である、項目１４に記載の水処理システム。
（項目１７）
飲料水の使用、逆洗、およびクリーンインプレース逆洗のための水を貯蔵するための少なくとも３つの区画を有する飲料水貯蔵タンクをさらに備え、前記貯蔵タンクは、前記逆浸透サブシステムのための構造プラットフォームを提供するように構成されている、項目１４に記載の水処理システム。
（項目１８）
飲料水を生産するように原水を処理する方法であって、
原水源から、水処理システムの導管サブシステムの入口の中へ水を受け取るステップであって、前記水処理システムは、複数の水処理過程を提供するための複数の処理サブシステムを有し、前記導管サブシステムは、飲料水用の出口も有し、前記水は、前記導管サブシステムを通って前記入口から出口へ流れることが可能である、ステップと、
複数のセンサを用いて、前記水処理システムの中の複数の場所における前記水の複数の特性を感知するステップであって、前記水の前記一式の特性は、水の流速、水圧、水位、および水質パラメータを含む、ステップと、
前記複数のセンサのそれぞれから信号を出力するステップであって、前記信号は、そのようなセンサによって測定される水の特性を表す、ステップと、
前記水処理システムの動作を制御するコントローラにおいて前記複数の場所に位置する前記複数のセンサから出力信号を受信するステップと
を含み、前記コントローラは、
前記複数のセンサから受信される前記測定される水の特性を監視することと、
前記水源からの前記水の水圧が前記水処理システムを操作するために低すぎる場合に、前記原水源から前記導管サブシステムを通して水を送出することと、
前記測定される水の特性に基づいて、前記水処理システムを操作する複数のモードのうちの１つを選択することと、
前記水処理システムの全体を通した複数の場所における水質を決定するために、前記複数のセンサから受信される前記測定された特性の出力信号を使用することと、
選択された動作モードおよび前記複数のセンサからの前記測定される特性の前記出力信号に基づいて、前記導管サブシステムを通る水流を自動的に制御することと、
前記選択された動作モードおよび複数のセンサ場所における水質パラメータ測定値に基づいて、出力時に飲料水を生産するために前記複数の処理ステップのうちのどれが必要とされるかを自動的に決定することと、
飲料水を生産するために必要とされない処理過程のための前記処理サブシステムを迂回するように、前記導管サブシステムを通る水流を自動的に方向付けることと
を行い、
前記複数の水処理過程は、
前記水処理システムを潜在的に妨害し得るサイズの粒子状物質を前記水から裏漉しすることと、
前記裏漉しされた水の中の汚染物質の酸化のために、一次酸化処理サブシステムにオゾンを注入することによって、前記一次酸化処理サブシステムにおいて前記裏漉しされた水を一次処理することと、
少なくとも１つの濾過処理サブシステムを使用して、前記水からより小さい粒子状物質を濾過することであって、前記少なくとも１つの濾過処理サブシステムは、混合媒体濾過要素、精密濾過膜要素、限外濾過膜要素、および活性炭フィルタ要素から成る群より選択される、ことと、
逆浸透処理サブシステムを使用して、前記水から溶解固形物を除去することと、
最終酸化処理サブシステムにおいて、オゾンを前記水に注入することによって前記水をさらに消毒することと、
前記最終酸化処理サブシステムにおいて、紫外線光を前記水に付与することにより、ヒドロキシルラジカルを作成し、あらゆる残留汚染物質を酸化すること（およびあらゆる残留注入オゾンの実質的に全てを破壊すること）と
を含む、方法。
（項目１９）
前記コントローラによって選択可能な前記動作モードは、過渡動作モードおよび通常処理動作モードを含む、項目１８に記載の方法。
（項目２０）
前記水質パラメータは、全石油炭化水素（ＴＰＨ）、濁度、粒径、粒子数、溶解オゾン（ＤＯ３）、全有機体炭素（ＴＯＣ）、伝導度、全溶解固形物（ＴＤＳ）、酸化還元電位（ＯＲＰ）、特定紫外線吸収、分光、およびｐＨから成る群より選択される、項目１９に記載の方法。
（項目２１）
前記コントローラは、前記処理システムの起動中に前記過渡動作モードを自動的に選択する、項目２０に記載の方法。
（項目２２）
前記コントローラは、
第１のポンプを起動し、定常状態条件が達成されるまで、前記水が前記粒子状物質ストレーナを通過するように、前記導管システムを通して水流を方向付けることと、
前記所定測定水質パラメータに基づいて、前記一次酸化サブシステムの上流にある前記システムの前記処理サブシステムのうちのいずれかを迂回できるかどうかを決定することと、
そのような決定の場合に、前記一次酸化サブシステムの上流の前記処理過程を回避するように、前記導管サブシステムを通して前記水を方向付けることと、
前記コントローラが、前記一次酸化サブシステムから退出する前記水の中のオゾンの所定の測定値を受信するまで、前記一次酸化システムを通して前記水を再循環させることと
を行う、項目２１に記載の方法。
（項目２３）
前記一次酸化サブシステムからの部分的に処理された水を前記一次酸化サブシステムの下流にある前記導管サブシステムの中へ供給するステップと、
前記コントローラが、前記少なくとも１つの濾過サブシステムから退出する前記水において、濁度、粒子数、および粒径から成る群より選択される少なくとも１つの所定の測定水質パラメータを受信するまで、前記一次酸化システムおよび前記少なくとも１つの濾過サブシステムを通して前記水を再循環させるステップと、
前記コントローラが、伝導度、特定紫外線吸収、ＴＯＣ、ＴＤＳ、およびＴＰＨから成る群からの少なくとも１つの測定パラメータの所定の測定値を受信し、前記逆浸透サブシステムが定常状態条件に達したと決定するまで、前記一次酸化システム、前記少なくとも１つの濾過サブシステム、および前記逆浸透サブシステムを通して前記水を再循環させるステップと、
前記コントローラが、ｐＨ、濁度、伝導度、溶解オゾン、特定紫外線吸収、ＴＯＣ、および分光から成る群からの複数の測定パラメータのうちの少なくとも１つの所定の測定値を受信し、前記最終酸化サブシステムが定常状態条件に達しており、飲料水を生産していると決定するまで、前記一次酸化システム、前記少なくとも１つの濾過サブシステム、前記逆浸透サブシステム、および前記最終酸化サブシステムを通して前記水を再循環させるステップと
さらに含む、項目２２に記載の方法。
（項目２４）
前記コントローラは、
前記最終酸化サブシステムから退出する処理された水が、定常状態条件に達しており、飲料水であることを決定することと、
定常状態条件が達成されたことを前記コントローラが決定すると、前記通常動作モードを選択することと
を行う、項目２２に記載の方法。
（項目２５）
前記少なくとも１つの濾過処理サブシステムを使用して、前記水からより小さい粒子状物質を濾過するステップは、
並列の複数の混合媒体フィルタを使用して、前記水から約０．５ミクロンよりも大きいサイズを有する粒子状物質を除去することと、
前記混合媒体フィルタの下流にある並列の複数の膜フィルタを使用して、前記水から約０．１ミクロンよりも大きいサイズを有する粒子状物質を除去することと、
前記膜フィルタの下流にある並列の複数の活性炭フィルタを使用して、有機化合物および他の溶解化学汚染物質を除去することであって、微生物が、前記炭素フィルタの上流面に生息することにより、木炭の表面上で生物学的濾過を可能にする、ことと
を含み、
前記水から溶解固形物を除去するステップは、
複数の逆浸透フィルタを使用して、わずかに半塩水から海水の濃度に及ぶ濃度の溶解汚染物質を除去することを含み、
前記コントローラは、
前記一次酸化サブシステム、前記複数のフィルタのそれぞれ、前記逆浸透サブシステム、および前記最終酸化サブシステムの動作を独立して制御して、一次的に酸化するステップ、前記複数のフィルタのそれぞれを使用して粒子状物質を除去するステップ、および溶解汚染物質を除去するステップを個別に選択することと、
複数のセンサ場所における前記水質パラメータ測定値に基づいて、出力時に飲料水を生産するために濾過過程のうちのどれが必要とされるかを自動的に決定することと、
飲料水を生産するために必要とされない濾過過程のそれぞれを迂回するように、前記導管サブシステムを通して水流を方向付けることと、
複数のセンサ場所における前記水質パラメータ測定値に基づいて、出力時に飲料水を生産するために十分な溶解汚染物質を除去するために前記逆浸透フィルタのうちのどれが必要とされるかを自動的に決定することと、
飲料水を生産するために十分な溶解汚染物質を除去するために必要とされない前記逆浸透フィルタのそれぞれを迂回するように、前記導管サブシステムを通して水流を方向付けることと
を行う、項目２４に記載の方法。
（項目２６）
前記コントローラによって選択可能な前記動作モードは、逆洗動作モードをさらに含み、
前記方法は、
前記通常動作モードでは、前記一次酸化システムの下流に位置するサービスポンプを使用して、前記導管サブシステムの中の前記水を送出するステップと、
前記逆洗動作モードでは、前記サービスポンプを使用して、前記導管サブシステムを通る水流を逆転させるステップと
をさらに含む、項目２５に記載の方法。
（項目２７）
標準サイズの商用運送用コンテナの中に前記水処理システムを設置するステップであって、前記コンテナは、複数の端壁および端部間の複数の側壁と、前記端部のうちの１つの端部における少なくとも１つのドアとを有し、前記コンテナは、前記少なくとも１つのドアの反対側の前記端部と前記端部間の側面とに補足隔壁および複数のドアを追加することによって修正され、前記水処理システムの他の要素は、修正された前記コンテナの内側に納まるように構成されることが可能である、ステップと、
前記複数のドアを通して、前記水処理プラントの前記サブシステムにアクセスするステップと
をさらに含む、項目２６に記載の方法。
（項目２８）
前記原水源と前記第１のポンプとの間に位置する破片ストレーナを使用することによって、前記第１のポンプの動作に干渉し得る破片およびより大きい粒子状物質を前記水から除去するステップをさらに含む、項目１８に記載の方法。
（項目２９）
前記導管サブシステムに接続された油・水分離器を使用することによって、非溶解または乳化された油および燃料汚染物質を除去するステップをさらに含み、前記油・水分離器は、前記粒子状物質ストレーナの上流にある、項目２８に記載の方法。
（項目３０）
一次酸化処理サブシステムにおいて前記裏漉しされた水を一次処理するステップは、
溶解空気浮遊要素を有する一次酸化サブシステムに空気およびオゾンの組み合わせを注入し、前記水から有機汚染物質および油を分離し、前記有機汚染物質および油から分離された結果として生じる水の消毒および酸化とを強化することを含む、項目１８に記載の方法。
（項目３１）
前記水を送出するステップは、
前記導管サブシステムの中の水圧および流速を管理するために、前記コントローラによって決定される速度において、前記導管サブシステムを通して可変流速で水を送出し、それにより、前記水処理システムの中の中間貯蔵タンクが流速および圧力の変化を加減する必要性を排除することを含む、項目１８に記載の方法。
（項目３２）
前記一次酸化サブシステムの下流にあるブースターポンプを前記コントローラに操作させることによって、前記逆浸透サブシステムの上流の圧力および流速を高めるステップと、
前記ブースターポンプの上流に、少なくとも１つの加圧毛細管を有することによって、前記上流処理サブシステムから、前記逆浸透サブシステムの中の水の流速および圧力を分断するステップと、
前記濾過サブシステムの下流にある前記導管サブシステムの中の水流の圧力が、前記逆浸透サブシステムの動作のために不十分であることを、前記複数のセンサが検出した場合に、逆浸透動作のために十分な前記逆浸透サブシステムの中への水流の圧力を達成するように、前記コントローラが前記ブースターポンプを自動的に操作するステップと
をさらに含む、項目３１に記載の方法。
（項目３３）
標準サイズの商用運送用コンテナの中へ前記水処理システムを設置するステップをさらに含み、前記コンテナは、複数の端壁および複数の側壁と、その各端部における少なくとも１つのドアとを有し、前記コンテナの前記壁は、補足隔壁および前記複数の側壁の中の複数のさらなるドアで増強され、前記水処理システムの他の要素は、前記標準サイズの商用運送用コンテナの内側に納まるように構成されることが可能であり、前記複数のドアを通してアクセス可能であり得る、項目３２に記載の方法。
【手続補正３】
【補正対象書類名】図面
【補正対象項目名】全図
【補正方法】変更
【補正の内容】
【図１】
2012526657.tif 000001
【図２】
2012526657.tif 000002
【図３】
2012526657.tif 000003
【図４Ａ】
2012526657.tif 000004
【図４Ｂ】
2012526657.tif 000005
【図４Ｃ】
2012526657.tif 000006
【図４Ｄ】
2012526657.tif 000007
【図４Ｅ】
2012526657.tif 000008
【図５】
2012526657.tif 000009
【図６Ａ】
2012526657.tif 000010
【図６Ｂ】
2012526657.tif 000011
【図７Ａ】
2012526657.tif 000012
【図７Ｂ】
2012526657.tif 000013